(57)【要約】【課題】爪片を挿入溝内に容易に挿入できると共に、軒樋の設置後には、軒樋の移動によって前耳係止部及び後耳係止部が軒樋の前耳部及び後耳部から抜け外れることを確実に防止する。【解決手段】軒樋本体Ｔ１の前壁部Ｔ２及び後壁部Ｔ３の上端に、内方に向けて開口された挿入溝Ｔ２１ａ，Ｔ３１ａを有する前耳部Ｔ２１及び後耳部Ｔ３１を設けてなる軒樋Ｔの前記前耳部Ｔ２１及び後耳部Ｔ３１を係止して軒樋Ｔを支持するための樋支持具Ａであって、樋支持具本体１の前、後端には、前記前耳部Ｔ２１及び後耳部Ｔ３１を各々係止する前耳係止部２及び後耳係止部３を設けると共に、これら前耳係止部２又は後耳係止部３の少なくとも一方には、前記挿入溝Ｔ２１ａ，Ｔ３１ａに挿入可能な爪片４を突設すると共に、前記爪片４の内方には当該爪片４の挿入を規制する当止片７を設けている。【選択図】図１
2008057122.tif 000002
【特許請求の範囲】
【請求項１】
軒樋本体の前壁部及び後壁部の上端に、内方に向けて開口された挿入溝を有する前耳部及び後耳部を設けてなる軒樋の前記前耳部及び後耳部を係止して軒樋を支持するための樋支持具であって、
樋支持具本体の前、後端には、前記前耳部及び後耳部を各々係止する前耳係止部及び後耳係止部を設けると共に、
これら前耳係止部又は後耳係止部の少なくとも一方には、前記挿入溝に挿入可能な爪片を突設すると共に、前記爪片の内方には当該爪片の挿入を規制する当止片を設けたことを特徴とする樋支持具。
【発明の詳細な説明】
【技術分野】
【０００１】
本発明は、軒樋本体の前壁部及び後壁部の上端に、内方に向けて開口された挿入溝を有する前耳部及び後耳部を設けてなる軒樋の前記前耳部及び後耳部を係止して軒樋を支持するための樋支持具に関する。
【背景技術】
【０００２】
従来、軒樋本体の前壁部及び後壁部の上端に、内方に向けて開口された挿入溝を有する前耳部及び後耳部を設けてなる軒樋の前記前耳部及び後耳部を係止して軒樋を支持するための樋支持具であって、樋支持具本体の前、後端には、前記前耳部及び後耳部を各々係止する前耳係止部及び後耳係止部を設けると共に、この後耳係止部には、前記挿入溝に挿入可能なバネ性のある爪片を設けると共に、この爪片を軒樋本体の後壁部の前記挿入溝内に挿入して、軒樋の抜け止めを防止しながら支持する構造のものはあった。（例えば、特許文献１参照。）。
【特許文献１】特開２００１−１８２２４２号
【発明の開示】
【発明が解決しようとする課題】
【０００３】
しかしながら、設置された軒樋は、風雨等によって当該軒樋が前後に移動することがあり、この軒樋の前後移動によって、前記後耳係止部に設けた爪片が後壁部の挿入溝に入り込み過ぎてしまい、その結果、前耳係止部と前耳部との係止が抜け外れるという問題があった。
【０００４】
一方、この抜け外れを防止するため、挿入溝に挿入される前記爪片の長さを長く形成することも考えたが、これでは、この爪片を挿入溝内に挿入する際に引っ掛かってしまい、取付作業が非常に困難である。
【０００５】
本発明は、かかる課題を解決することを目的とするもので、爪片を挿入溝内に容易に挿入できると共に、軒樋の設置後には、軒樋の前後移動によって前耳係止部及び後耳係止部が軒樋の前耳部及び後耳部から抜け外れることを確実に防止可能な樋支持具を提供する。
【課題を解決するための手段】
【０００６】
前記目的を達成するため、
本発明に係る樋支持具は、軒樋本体の前壁部及び後壁部の上端に、内方に向けて開口された挿入溝を有する前耳部及び後耳部を設けてなる軒樋の前記前耳部及び後耳部を係止して軒樋を支持するための樋支持具であって、樋支持具本体の前、後端には、前記前耳部及び後耳部を各々係止する前耳係止部及び後耳係止部を設けると共に、これら前耳係止部又は後耳係止部の少なくとも一方には、前記挿入溝に挿入可能な爪片を突設すると共に、前記爪片の内方には当該爪片の挿入を規制する当止片を設けたことを特徴とする。
【発明の効果】
【０００７】
本発明によれば、次のような効果がある。
本発明に係る樋支持具によれば、樋支持具本体の前端及び後端の各々に、軒樋の前耳部及び後耳部を係止可能な前耳係止部及び後耳係止部を設けることで、軒樋を確実に支持できると共に、軒樋の設置後における当該軒樋の前後移動に対しても、前記爪片の内方に設けた当止片によって、当該爪片のそれ以上の挿入を規制できる。
【０００８】
そのため、この当止片によって爪片が入り込み過ぎることを防止し、その結果、前耳係止部又は後耳係止部が前後に移動して生じる軒樋の前耳部又は後耳部からの抜け外れを確実に防止できる。
【発明を実施するための最良の形態】
【０００９】
以下、本発明に係る樋支持具を図面とともに説明する。
【実施例１】
【００１０】
図１は、本発明に係る樋支持具Ａの一実施例を示す正面図であり、図２（ａ），（ｂ）は、図１で示した前耳係止部２の要部を拡大した斜視図及び正面図である。
【００１１】
先ず、本発明に使用される軒樋Ｔは、軒樋本体Ｔ１の前壁部Ｔ２及び後壁部Ｔ３の上端に、内方に向けて開口された挿入溝Ｔ２１ａ、Ｔ３１ａを有する前耳部Ｔ２１及び後耳部Ｔ３１を設けてなる。
【００１２】
すなわち、本発明に係る樋支持具Ａは、前記のような挿入溝Ｔ２１ａ、Ｔ３１ａを有しない構造の軒樋Ｔに使用するものではない。
【００１３】
この樋支持具Ａは、樋支持具本体１の前、後端に、前耳部Ｔ２１及び後耳部Ｔ３１を各々係止する前耳係止部２及び後耳係止部３を設けると共に、これら前耳係止部２及び後耳係止部３には、軒樋Ｔの挿入溝Ｔ２１ａ、Ｔ３１ａに挿入可能な爪片４を突設している。
【００１４】
また、樋支持具本体１の略中央には、この樋支持具本体１を軒先等に連結するための連結具Ｒを設けているが、この連結具Ｒの構造は、軒先等の構造に応じて選択されるものである。
【００１５】
なお、前耳係止部２又は後耳係止部３の形状は、前耳部Ｔ２１及び後耳部Ｔ３１の形状に応じて形成され、本実施例の形状に限定されるものではない。
【００１６】
また、本実施例では、前耳係止部２及び後耳係止部３の両方に、軒樋Ｔの挿入溝Ｔ２１ａ、Ｔ３１ａに挿入可能な爪片４を突設したものを例示しているが、前耳係止部２及び後耳係止部３の何れか一方にのみ設けることも可能である。
【００１７】
前耳係止部２は、バネ板を略逆Ｌ状に折り曲げて形成してなり、その直立片５には取付孔５１を開設し、リベット等の取付具Ｓによって、前耳係止部２の直立片５を樋支持具本体１の適所に固定している。
【００１８】
また、前耳係止部２の前方（本図では、左方）に向けて延設された水平片６には、その先端（本図では、左端）に、中央部分だけを突出させて軒樋Ｔの挿入溝Ｔ２１ａに挿入可能な爪片４を突設してなる。
【００１９】
更に、水平片６の両端には、上方に直交して折り曲げた当止片７を形成して、当該当止片７を爪片４の内方に形成してなる。
【００２０】
このように構成した本発明に係る樋支持具Ａは、図１で示すように、樋支持具本体１の前後に設けた前耳係止部２及び後耳係止部３に、軒樋Ｔの前耳部Ｔ２１及び後耳部Ｔ３１を各々係止すれば、軒樋Ｔを容易に支持できる。
【００２１】
そして、軒樋Ａの設置後において、例えば、風雨等によって軒樋Ｔが前後に移動されても、当止片７が前耳部２の挿入溝Ｔ２１ａ近傍に当接されて、爪片４が挿入溝Ｔ２１ａに、それ以上に入り込み過ぎることを規制する。
【００２２】
その結果、爪片４を設けた前耳係止部２とは逆方向の位置に設けた、後耳係止部３の移動も規制されるため、この後耳係止部３と後耳部Ｔ３１との係止が抜け外れることを確実に防止できるのである。
【００２３】
更に詳説すれば、本実施例の樋支持具Ａのように、前耳係止部２及び後耳係止部３の両方に、軒樋Ｔの挿入溝Ｔ２１ａ、Ｔ３１ａに挿入可能な爪片４を各々突設することで、風雨等によって軒樋Ｔが前、後の何れに移動しても、何れか一方の爪片４が前耳部Ｔ２１或いは後耳部Ｔ３１に係止されるため、これら前耳部Ｔ２１或いは後耳部Ｔ３１との係止が抜け外れることを確実に防止できる。
【００２４】
但、前耳係止部２及び後耳係止部３の両方に当止片７を各々形成した場合には、軒樋Ｔの前、後移動の何れに対しても上記効果が得られるが、その反面、軒樋Ｔが前、後方向に移動されるクリアランスが少なくなってしまい、軒樋本体Ｔ１の挿入溝Ｔ２１ａ、Ｔ３１ａを前耳部Ｔ２１及び後耳部Ｔ３１に係止させる作業がし難いという恐れがある。
【００２５】
そのため、本実施例で示したように、前耳係止部２及び後耳係止部３の両方に、軒樋Ｔの挿入溝Ｔ２１ａ、Ｔ３１ａに挿入可能な爪片４を各々突設すると共に、これら前耳係止部２又は後耳係止部３の何れか一方にのみ当止片７を設けるのが望ましいのである。
【００２６】
そして、これら前、後に向けて突設された両爪片４、４と、一方にのみ設けた当止片７との協働によって、軒樋Ｔが前、後方向に移動されるクリアランスを確保して、軒樋本体Ｔ１の挿入溝Ｔ２１ａ、Ｔ３１ａを前耳部Ｔ２１及び後耳部Ｔ３１に係止させる作業を容易に行うことができると共に、前耳部Ｔ２１或いは後耳部Ｔ３１との係止が抜け外れることを確実に防止できるのである。
【００２７】
更に、前耳部Ｔ２１が当接され、荷重がかかると、前耳係止部２が全体的に変形し、水平片６及び爪片４が上或いは下にずれる。しかし、爪片４が挿入溝Ｔ２１ａの上端及び下端で規制され、前耳係止部２の水平片６が、それ以上変形せず、前耳部Ｔ２１の係止が抜け外れることをさらに防止できる。
【実施例２】
【００２８】
図３（ａ）、（ｂ）は、図１で示した後耳係止部３に、当止片７を設けた場合を示す斜視図及び正面図である。
【００２９】
なお、図１、２と共通する部材には、同一の番号を付し、ここでは、本実施例の特徴についてのみ説明する。
【００３０】
この後耳係止部３は、バネ板を略Ｃ状に折り曲げて形成してなり、その上側水平片８には取付孔８１を開設し、リベット等の取付具Ｓによって、後耳係止部３の上側水平片８を樋支持具本体１の適所に固定するようにしている。
【００３１】
また、後耳係止部３の下側水平片９には、その先端（本図では、開放端）に、中央部分だけを突出させて軒樋Ｔの挿入溝Ｔ３１ａに挿入可能な爪片４を突設してなる。
【００３２】
更に、下側水平片９の両端には、上方に直交して折り曲げた当止片７を形成して、当該当止片７を爪片４の内方に形成してなる。
【００３３】
なお、下側水平片９の中央には、上側水平片８を樋支持具本体１に固定する際、工具等を下方から差し込むための作業用開口９１を開設している。
【００３４】
このように構成した本発明に係る後耳係止部３を、図１で示した後耳係止部３に代えて設けても上記同様の効果を得ることができる。
【００３５】
もっとも、本実施例の後耳係止部３を、図１で示した後耳係止部３に代えて設ける場合には、図１で示した前耳係止部２には、当止片７を設けないことが望ましい。
【図面の簡単な説明】
【００３６】
【図１】本発明に係る樋支持具Ａの一実施例を示す正面図である。
【図２】（ａ），（ｂ）は、図１で示した前耳係止部２の要部を拡大した斜視図及び正面図である。
【図３】（ａ），（ｂ）は、図１で示した後耳係止部３に、当止片７を設けた場合を示す斜視図及び正面図である。
【符号の説明】
【００３７】
Ａ      樋支持具
Ｔ      軒樋
Ｔ１    軒樋本体
Ｔ２    前壁部
Ｔ３    後壁部
Ｔ２１  前耳部
Ｔ３１  後耳部
Ｔ２１ａ挿入溝（前耳部側）
Ｔ３１ａ挿入溝（後耳部側）
１      樋支持具本体
２      前耳係止部
３      後耳係止部
４      爪片
７      当止片
【図１】
2008057122.tif 000003
【図２】
2008057122.tif 000004
【図３】
2008057122.tif 000005